(57)【特許請求の範囲】
【請求項１】
ワイヤレス通信ネットワークにおいてユーザ機器(UE)とアプリケーションサーバとの間でデータを交換する方法であって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に、前記WWANを介して、前記UEと前記アプリケーションサーバとの間でデータを交換するステップと、
前記WLANを介して、前記UEから前記アプリケーションサーバにファイルをアップロードすることを1つまたは複数のセッション・パラメータに基づいて決定するステップと、
前記UEで、前記UEと前記WLANとの間の接続に関連付けられたWLAN接続情報を取得するステップと、
前記WWANを介して、前記アプリケーションサーバに前記WLAN接続情報を送信するステップと、
前記送信に応答して、前記アプリケーションサーバが前記WLANを介した前記UEからのファイル転送のために前記WWANファイアウォールに少なくとも1つの穴を開けたことの指示を受信するステップと、
前記指示に応答して、前記WWANファイアウォールの前記少なくとも1つの穴を通じて前記WLANを介して前記アプリケーションサーバに前記ファイルをアップロードするステップと
を含む方法。
【請求項２】
前記WLANを介して前記アプリケーションサーバに前記ファイルをアップロードしようとする初期の試みが、前記WWANファイアウォールによってブロックされることを決定するステップをさらに備え、
前記取得するステップ、送信するステップ、受信するステップ、およびアップロードするステップが、前記初期の試みが前記WWANファイアウォールによってブロックされることの決定に応答して実行される
請求項1に記載の方法。
【請求項３】
前記WLAN接続情報が、前記WLANの性能レベルと関係し、前記WLANの速度もしくは帯域幅、前記WLANのレイテンシ、および/または前記WLANのパケットドロップレートのうちの1つまたは複数を含む、請求項1に記載の方法。
【請求項４】
前記WLAN接続情報が、プライベートインターネットプロトコル(IP)アドレスおよびパブリックIPアドレスを含み、
前記プライベートIPアドレスが前記WLANから受信され、前記パブリックIPアドレスが前記WLANファイアウォールの外のネットワークエンティティから受信される
請求項1に記載の方法。
【請求項５】
前記ネットワークエンティティがSession Traversal Utilities for NAT(STUN)サーバに対応する、請求項4に記載の方法。
【請求項６】
前記1つまたは複数のセッション・パラメータに基づく前記決定が、前記ファイルが所与のサイズ閾値を超えることに基づく決定を含む、請求項1に記載の方法。
【請求項７】
前記WLAN接続情報の前記送信が、前記WWANファイアウォールの前記少なくとも1つの穴を開くよう前記アプリケーションサーバに促すように構成される、請求項1に記載の方法。
【請求項８】
前記WLANを介した前記UEからのファイル転送のために、前記アプリケーションサーバによって前記WWANファイアウォールの前記少なくとも1つの穴を開くことが限られた期間に行われる、請求項1に記載の方法。
【請求項９】
ワイヤレス通信ネットワークにおいてユーザ機器(UE)とアプリケーションサーバとの間でデータを交換する方法であって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に、前記WWANを介して、前記UEと前記アプリケーションサーバとの間でデータを交換するステップと、
前記WLANを介して、前記アプリケーションサーバから前記UEにファイルをダウンロードすることを決定するステップと、
前記決定に応答して、前記アプリケーションサーバが前記WLANを介してファイルを前記UEに転送できるようにするために、前記WLANファイアウォールおよび/またはNAT構成要素を開くステップと、
前記UEで、前記UEと前記WLANとの間の接続に関連付けられたWLAN接続情報を取得するステップと、
前記WWANを介して、前記アプリケーションサーバに前記WLAN接続情報を送信するステップと、
前記送信の後、前記WLANを介して、前記アプリケーションサーバから前記ファイルをダウンロードするステップと
を含む方法。
【請求項１０】
前記WLAN接続情報が、前記WLANの性能レベルと関係し、前記WLANの速度もしくは帯域幅、前記WLANのレイテンシ、および/または前記WLANのパケットドロップレートのうちの1つまたは複数を含む、請求項9に記載の方法。
【請求項１１】
前記WLAN接続情報が、プライベートインターネットプロトコル(IP)アドレスおよびパブリックIPアドレスを含み、
前記プライベートIPアドレスが前記WLANから受信され、前記パブリックIPアドレスが前記WLANファイアウォールの外のネットワークエンティティから受信される
請求項9に記載の方法。
【請求項１２】
前記ネットワークエンティティがSession Traversal Utilities for NAT(STUN)サーバに対応する、請求項11に記載の方法。
【請求項１３】
前記決定するステップが、
前記アプリケーションサーバが前記UEに前記ファイルをダウンロードしようと試みていること、および前記ファイルが所与のサイズ閾値を超えることの通知を、前記アプリケーションサーバから受信するステップと、
前記WLANを介して、前記ファイルを前記UEにダウンロードしようと試みることを決定するステップと
を含む、請求項9に記載の方法。
【請求項１４】
前記WLANを介した前記アプリケーションサーバからのファイル転送のために、前記WLANファイアウォールおよび/または前記NAT構成要素を前記開くことが限られた期間に行われる、請求項9に記載の方法。
【請求項１５】
ワイヤレス通信ネットワークにおいてユーザ機器(UE)とアプリケーションサーバとの間でデータを交換する方法であって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に、前記WWANを介して、前記UEと前記アプリケーションサーバとの間でデータを交換するステップと、
前記WWANを介して前記アプリケーションサーバで前記UEのWLAN接続情報を受信するステップと、
前記WLANを介して、前記UEからファイルを転送できるようにするために、前記WWANファイアウォールを開くステップと、
前記アプリケーションサーバが、前記WLANを介した前記UEからファイルを転送するために前記WWANファイアウォールを開いたことの指示を送信するステップと、
前記指示に応答して、前記WLANを介して、前記アプリケーションサーバで前記ファイルを受信するステップと
を含む方法。
【請求項１６】
前記WLAN接続情報が、前記WLANの性能レベルと関係し、前記WLANの速度もしくは帯域幅、前記WLANのレイテンシ、および/または前記WLANのパケットドロップレートのうちの1つまたは複数を含む、請求項15に記載の方法。
【請求項１７】
前記WLAN接続情報が前記WLANのネットワークアドレス変換(NAT)構成要素の挙動を示す、請求項16に記載の方法。
【請求項１８】
前記送信するステップが前記WLAN接続情報の受信に応答して前記WLANを介して前記指示を送信する、請求項15に記載の方法。
【請求項１９】
ワイヤレス通信ネットワークにおいてユーザ機器(UE)とアプリケーションサーバとの間でデータを交換する方法であって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に、前記WWANを介して前記UEと前記アプリケーションサーバとの間でデータを交換するステップと、
前記WLANを介して、前記アプリケーションサーバから前記UEにファイルをダウンロードすることを決定するステップと、
前記UEに、前記決定を示す通知を送信するステップと、
前記WWANを介して、前記アプリケーションサーバで、前記UEのWLAN接続情報と、前記アプリケーションサーバが前記WLANを介してファイルを前記UEに転送できるようにするために前記WLANファイアウォールおよび/またはNAT構成要素が開かれたことの指示とを受信するステップと、
前記受信されたWLAN接続情報、および/または前記受信された指示に応答して、前記アプリケーションサーバからの前記ファイルを前記WLANを介して前記UEにダウンロードするステップと
を含む方法。
【請求項２０】
前記WLAN接続情報が前記WLANの性能レベルと関係し、前記WLANの速度もしくは帯域幅、前記WLANのレイテンシ、および/または前記WLANのパケットドロップレートのうちの1つまたは複数を含む、請求項19に記載の方法。
【請求項２１】
前記WLAN接続情報が前記WLAN NAT構成要素の挙動を示す、請求項19に記載の方法。
【請求項２２】
ワイヤレス通信ネットワークにおいてユーザ機器(UE)とアプリケーションサーバとの間でデータを交換する方法であって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に、前記WWANを介して、前記UEと前記アプリケーションサーバとの間でデータを交換するステップと、
前記WLANを介して、前記UEと前記アプリケーションサーバとの間でファイルを交換することを決定するステップと、
前記WLANを介して、前記WLANの前記WLANファイアウォールおよび前記WWANの前記WWANファイアウォールの外に配置されるファイルサーバに前記ファイルを転送するステップと、
前記WWANを介して、前記UEまたは前記アプリケーションサーバに、前記ファイルサーバに前記転送されたファイルへのリンクを送信するステップと
を含む方法。
【請求項２３】
前記決定するステップ、転送するステップ、および送るステップが前記UEによって実行され、前記送信するステップが、前記アプリケーションサーバに前記リンクを送る、請求項22に記載の方法。
【請求項２４】
前記WLANを介して前記アプリケーションサーバに前記ファイルを転送しようとする初期の試みまたは初期の試みのセットが、前記WWANファイアウォールによってブロックされることを決定するステップ
をさらに備え、前記転送するステップ、および送るステップが、前記初期の試みが前記WWANファイアウォールによってブロックされることの決定に応答して実行される
請求項23に記載の方法。
【請求項２５】
前記決定するステップ、転送するステップ、および送るステップが前記アプリケーションサーバによって実行され、前記送るステップが、前記UEに前記リンクを送る、請求項22に記載の方法。
【請求項２６】
前記決定が前記ファイルが所与のサイズ閾値を超えることに基づく、請求項22に記載の方法。
【請求項２７】
ワイヤレス通信ネットワークにおいてユーザ機器(UE)とアプリケーションサーバとの間でデータを交換する方法であって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するステップと、
前記WWANを介してファイルサーバにあるアップロードされたファイルへのリンクを受信するステップと、
前記ファイルサーバから前記アップロードされたファイルを取り出すステップと
を含み、
前記ファイルサーバが、前記WLANの前記WLANファイアウォール、および前記WWANの前記WWANファイアウォールの外に配置される
方法。
【請求項２８】
前記受信するステップ、および取り出すステップが前記UEによって実行される、請求項27に記載の方法。
【請求項２９】
前記受信されたリンクに応答して前記WLANに接続するステップをさらに含む請求項28に記載の方法。
【請求項３０】
前記受信するステップ、および取り出すステップが前記アプリケーションサーバによって実行される、請求項27に記載の方法。
【請求項３１】
ワイヤレス通信ネットワークにおいてアプリケーションサーバとデータを交換するように構成され、ワイヤレスローカルエリアネットワーク(WLAN)とワイヤレスワイドエリアネットワーク(WWAN)の両方に接続するように構成されるユーザ機器(UE)であって、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に、前記WWANを介して前記UEと前記アプリケーションサーバとの間でデータを交換するための手段と、
前記WLANを介して、前記UEから前記アプリケーションサーバにファイルをアップロードすることを1つまたは複数のセッション・パラメータに基づいて決定するための手段と、
前記UEと前記WLANとの間の接続に関連付けられたWLAN接続情報を取得するための手段と、
前記WWANを介して、前記アプリケーションサーバに前記WLAN接続情報を送信するための手段と、
前記送信に応答して、前記アプリケーションサーバが前記WLANを介して前記UEからファイルを転送するために前記WWANファイアウォールに少なくとも1つの穴を開けたことの指示を受信するための手段と、
前記指示に応答して、前記WWANファイアウォールの前記少なくとも1つの穴を通じて前記WLANを介して前記アプリケーションサーバに前記ファイルをアップロードするための手段と
を備えるユーザ機器(UE)。
【請求項３２】
ワイヤレス通信ネットワークにおいてアプリケーションサーバとデータを交換するように構成され、ワイヤレスローカルエリアネットワーク(WLAN)とワイヤレスワイドエリアネットワーク(WWAN)の両方に接続するように構成されるユーザ機器(UE)であって、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するための手段と、
前記WLANを介して、前記アプリケーションサーバから前記UEにファイルをダウンロードすることを決定するための手段と、
前記決定に応答して、前記アプリケーションサーバが前記WLANを介してファイルを前記UEに転送できるようにするために、前記WLANファイアウォールおよび/またはNAT構成要素を開くための手段と、
前記UEと前記WLANとの間の接続に関連付けられたWLAN接続情報を取得するための手段と、
前記WWANを介して、前記アプリケーションサーバに前記WLAN接続情報を送信するための手段と、
前記送信の後、前記WLANを介して、前記アプリケーションサーバから前記ファイルをダウンロードするための手段と
を備えるユーザ機器(UE)。
【請求項３３】
ワイヤレス通信ネットワークにおいてユーザ機器(UE)とデータを交換するように構成されるアプリケーションサーバであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するための手段と、
前記WWANを介して前記UEのWLAN接続情報を受信するための手段と、
前記WLANを介して前記UEからファイルを転送できるようにするために、前記WWANファイアウォールを開くための手段と、
前記アプリケーションサーバが、前記WLANを介した前記UEからファイルを転送するために前記WWANファイアウォールを開いたことの指示を前記UEに送信するための手段と、
前記指示に応答して、前記WLANを介して前記ファイルを受信するための手段と
を備えるアプリケーションサーバ。
【請求項３４】
ワイヤレス通信ネットワークにおいてユーザ機器(UE)とデータを交換するように構成されるアプリケーションサーバであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するための手段と、
前記WLANを介して、前記アプリケーションサーバから前記UEにファイルをダウンロードすることを決定するための手段と、
前記UEに前記決定を示す通知を送信するための手段と、
前記WWANを介して、前記UEのWLAN接続情報と、前記アプリケーションサーバが前記WLANを介してファイルを前記UEに転送できるようにするために前記WLANファイアウォールおよび/またはNAT構成要素が開かれたことの指示とを受信するための手段と、
前記受信されたWLAN接続情報、および/または前記受信された指示に応答して、前記アプリケーションサーバからの前記ファイルを前記WLANを介して前記UEにダウンロードするための手段と
を備えるアプリケーションサーバ。
【請求項３５】
ワイヤレス通信ネットワークにおいてユーザ機器(UE)とアプリケーションサーバとの間でデータを交換するように構成される通信デバイスであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するための手段と、
前記WLANを介して、前記UEと前記アプリケーションサーバとの間でファイルを交換することを決定するための手段と、
前記WLANを介して、前記WLANの前記WLANファイアウォールおよび前記WWANの前記WWANファイアウォールの外に配置されるファイルサーバに前記ファイルを転送するための手段と、
前記WWANを介して、前記UEまたは前記アプリケーションサーバに、前記ファイルサーバに前記転送されたファイルへのリンクを送るための手段と
を備える通信デバイス。
【請求項３６】
前記通信デバイスが前記UEに対応する、請求項35に記載の通信デバイス。
【請求項３７】
前記通信デバイスが前記アプリケーションサーバに対応する、請求項35に記載の通信デバイス。
【請求項３８】
ワイヤレス通信ネットワークにおいてユーザ機器(UE)とアプリケーションサーバとの間でデータを交換するように構成される通信デバイスであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に、前記WWANを介して、前記UEと前記アプリケーションサーバとの間でデータを交換するための手段と、
前記WWANを介してファイルサーバにアップロードされたファイルへのリンクを受信するための手段と、
前記ファイルサーバから前記アップロードされたファイルを取り出すための手段と
を備え、
前記ファイルサーバが、前記WLANの前記WLANファイアウォール、および前記WWANの前記WWANファイアウォールの外に配置される
通信デバイス。
【請求項３９】
前記通信デバイスが前記UEに対応する、請求項38に記載の通信デバイス。
【請求項４０】
前記通信デバイスが前記アプリケーションサーバに対応する、請求項38に記載の通信デバイス。
【請求項４１】
ワイヤレス通信ネットワークにおいてアプリケーションサーバとデータを交換するように構成され、ワイヤレスローカルエリアネットワーク(WLAN)とワイヤレスワイドエリアネットワーク(WWAN)の両方に接続するように構成されるユーザ機器(UE)であって、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するように構成される論理部と、
前記WLANを介して、前記UEから前記アプリケーションサーバにファイルをアップロードすることを1つまたは複数のセッション・パラメータに基づいて決定するように構成される論理部と、
前記UEと前記WLANとの間の接続に関連付けられたWLAN接続情報を取得するように構成される論理部と、
前記WWANを介して、前記アプリケーションサーバに前記WLAN接続情報を送信するように構成される論理部と、
前記送信に応答して、前記アプリケーションサーバが前記WLANを介した前記UEからのファイル転送のために前記WWANファイアウォールに少なくとも1つの穴を開けたことの指示を受信するように構成される論理部と、
前記指示に応答して、前記WWANファイアウォールの前記少なくとも1つの穴を通じて前記WLANを介して前記アプリケーションサーバに前記ファイルをアップロードするように構成される論理部と
を備えるユーザ機器(UE)。
【請求項４２】
ワイヤレス通信ネットワークにおいてアプリケーションサーバとデータを交換するように構成され、ワイヤレスローカルエリアネットワーク(WLAN)とワイヤレスワイドエリアネットワーク(WWAN)の両方に接続するように構成されるユーザ機器(UE)であって、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するように構成される論理部と、
前記WLANを介して、前記アプリケーションサーバから前記UEにファイルをダウンロードすることを決定するように構成される論理部と、
前記決定に応答して、前記アプリケーションサーバが前記WLANを介してファイルを前記UEに転送できるようにするために、前記WLANファイアウォールおよび/またはNAT構成要素を開くように構成される論理部と、
前記UEと前記WLANとの間の接続に関連付けられたWLAN接続情報を取得するように構成される論理部と、
前記WWANを介して、前記アプリケーションサーバに前記WLAN接続情報を送信するように構成される論理部と、
前記送信の後、前記WLANを介して、前記アプリケーションサーバから前記ファイルをダウンロードするように構成される論理部と
を備えるユーザ機器(UE)。
【請求項４３】
ワイヤレス通信ネットワークにおいてユーザ機器(UE)とデータを交換するように構成されるアプリケーションサーバであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するように構成される論理部と、
前記WWANを介して前記UEのWLAN接続情報を受信するように構成される論理部と、
前記WLANを介して前記UEからファイルを転送できるようにするために、前記WWANファイアウォールを開くように構成される論理部と、
前記アプリケーションサーバが、前記WLANを介した前記UEからファイルを転送するために前記WWANファイアウォールを開いたことの指示を前記UEに送信するように構成される論理部と、
前記指示に応答して前記WLANを介して前記ファイルを受信するように構成される論理部と
を備えるアプリケーションサーバ。
【請求項４４】
ワイヤレス通信ネットワークにおいてユーザ機器(UE)とデータを交換するように構成されるアプリケーションサーバであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するように構成される論理部と、
前記WLANを介して、前記アプリケーションサーバから前記UEにファイルをダウンロードすることを決定するように構成される論理部と、
前記UEに、前記決定を示す通知を送信するように構成される論理部と、
前記WWANを介して、前記UEのWLAN接続情報と、前記アプリケーションサーバが前記WLANを介してファイルを前記UEに転送できるようにするために前記WLANファイアウォールおよび/またはNAT構成要素が開かれたことの指示とを受信するように構成される論理部と、
前記受信されたWLAN接続情報、および/または前記受信された指示に応答して、前記アプリケーションサーバからの前記ファイルを前記WLANを介して前記UEにダウンロードするように構成される論理部と
を備えるアプリケーションサーバ。
【請求項４５】
ワイヤレス通信ネットワークにおいてユーザ機器(UE)とアプリケーションサーバとの間でデータを交換するように構成される通信デバイスであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するように構成される論理部と、
前記WLANを介して、前記UEと前記アプリケーションサーバとの間でファイルを交換することを決定するように構成される論理部と、
前記WLANを介して、前記WLANの前記WLANファイアウォールおよび前記WWANの前記WWANファイアウォールの外に配置されるファイルサーバに前記ファイルを転送するように構成される論理部と、
前記WWANを介して、前記UEまたは前記アプリケーションサーバに、前記ファイルサーバに前記転送されたファイルへのリンクを送るように構成される論理部と
を備える通信デバイス。
【請求項４６】
前記通信デバイスが前記UEに対応する、請求項45に記載の通信デバイス。
【請求項４７】
前記通信デバイスが前記アプリケーションサーバに対応する、請求項45に記載の通信デバイス。
【請求項４８】
ワイヤレス通信ネットワークにおいてユーザ機器(UE)とアプリケーションサーバとの間でデータを交換するように構成される通信デバイスであって、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、
WWAN通信セッションの間に前記WWANを介して前記UEと前記アプリケーションサーバとの間でデータを交換するように構成される論理部と、
前記WWANを介してファイルサーバのアップロードされたファイルへのリンクを受信するように構成される論理部と、
前記ファイルサーバから前記アップロードされたファイルを取り出すように構成される論理部と
を備え、
前記ファイルサーバが、前記WLANの前記WLANファイアウォール、および前記WWANの前記WWANファイアウォールの外に配置される、
通信デバイス。
【請求項４９】
前記通信デバイスが前記UEに対応する、請求項48に記載の通信デバイス。
【請求項５０】
前記通信デバイスが前記アプリケーションサーバに対応する、請求項48に記載の通信デバイス。
【請求項５１】
その上に記憶された命令を含む非一時的コンピュータ可読記憶媒体であって、前記命令が、ワイヤレス通信ネットワークにおいてアプリケーションサーバとデータを交換するように構成されるユーザ機器(UE)によって実行されると、前記UEに操作を実行させ、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、前記命令が、
WWAN通信セッションの間に、前記WWANを介して、前記UEと前記アプリケーションサーバとの間でデータを交換するためのプログラムコードと、
前記WLANを介して、前記UEから前記アプリケーションサーバにファイルをアップロードすることを1つまたは複数のセッション・パラメータに基づいて決定するためのプログラムコードと、
前記UEと前記WLANとの間の接続に関連付けられたWLAN接続情報を取得するためのプログラムコードと、
前記WWANを介して、前記アプリケーションサーバに前記WLAN接続情報を送信するためのプログラムコードと、
前記送信に応答して、前記アプリケーションサーバが前記WLANを介した前記UEからのファイル転送のために前記WWANファイアウォールに少なくとも1つの穴を開けたことの指示を受信するためのプログラムコードと、
前記指示に応答して、前記WWANファイアウォールの前記少なくとも1つの穴を通じて前記WLANを介して前記アプリケーションサーバに前記ファイルをアップロードするためのプログラムコードと
を備える、非一時的コンピュータ可読記憶媒体。
【請求項５２】
その上に記憶された命令を含む非一時的コンピュータ可読記憶媒体であって、前記命令が、ワイヤレス通信ネットワークにおいてアプリケーションサーバとデータを交換するように構成されるユーザ機器(UE)によって実行されると、前記UEに操作を実行させ、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、前記命令が、
WWAN通信セッションの間に、前記WWANを介して、前記UEと前記アプリケーションサーバとの間でデータを交換するためのプログラムコードと、
前記WLANを介して、前記アプリケーションサーバから前記UEにファイルをダウンロードすることを決定するためのプログラムコードと、
前記決定に応答して、前記アプリケーションサーバが前記WLANを介してファイルを前記UEに転送できるようにするために、前記WLANファイアウォールおよび/またはNAT構成要素を開くためのプログラムコードと、
前記UEと前記WLANとの間の接続に関連付けられたWLAN接続情報を取得するためのプログラムコードと、
前記WWANを介して、前記アプリケーションサーバに前記WLAN接続情報を送信するためのプログラムコードと、
前記送信の後、前記WLANを介して、前記アプリケーションサーバから前記ファイルをダウンロードするためのプログラムコードと
を備える、非一時的コンピュータ可読記憶媒体。
【請求項５３】
その上に記憶された命令を含む非一時的コンピュータ可読記憶媒体であって、前記命令が、ワイヤレス通信ネットワークにおいてユーザ機器(UE)とデータを交換するように構成されるアプリケーションサーバによって実行されると、前記アプリケーションサーバに操作を実行させ、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、前記命令が、
WWAN通信セッションの間に前記WWANを介して前記UEと前記アプリケーションサーバとの間でデータを交換するためのプログラムコードと、
前記WWANを介して、前記UEのWLAN接続情報を受信するためのプログラムコードと、
前記WLANを介して、前記UEからファイルを転送できるようにするために、前記WWANファイアウォールを開くためのプログラムコードと、
前記アプリケーションサーバが、前記WLANを介した前記UEからファイルを転送するために前記WWANファイアウォールを開いたことの指示を前記UEに送信するためのプログラムコードと、
前記指示に応答して、前記WLANを介して、前記ファイルを受信するためのプログラムコードと
を備える、非一時的コンピュータ可読記憶媒体。
【請求項５４】
その上に記憶された命令を含む非一時的コンピュータ可読記憶媒体であって、前記命令が、ワイヤレス通信ネットワークにおいてユーザ機器(UE)とデータを交換するように構成されるアプリケーションサーバによって実行されると、前記アプリケーションサーバに操作を実行させ、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、前記命令が、
WWAN通信セッションの間に、前記WWANを介して、前記UEと前記アプリケーションサーバとの間でデータを交換するためのプログラムコードと、
前記WLANを介して、前記アプリケーションサーバから前記UEにファイルをダウンロードすることを決定するためのプログラムコードと、
前記UEに、前記決定を示す通知を送信するためのプログラムコードと、
前記WWANを介して、前記UEのWLAN接続情報と、前記アプリケーションサーバが前記WLANを介してファイルを前記UEに転送できるようにするために前記WLANファイアウォールおよび/またはNAT構成要素が開かれたことの指示とを受信するためのプログラムコードと、
前記受信されたWLAN接続情報、および/または前記受信された指示に応答して、前記アプリケーションサーバからの前記ファイルを前記WLANを介して前記UEにダウンロードするためのプログラムコードと
を備える、非一時的コンピュータ可読記憶媒体。
【請求項５５】
その上に記憶された命令を含む非一時的コンピュータ可読記憶媒体であって、前記命令が、ワイヤレス通信ネットワークにおいてユーザ機器(UE)とアプリケーションサーバとの間でデータを交換するように構成される通信デバイスによって実行されると、前記通信デバイスに操作を実行させ、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、前記命令が、
WWAN通信セッションの間に前記WWANを介して前記UEと前記アプリケーションサーバとの間でデータを交換するためのプログラムコードと、
前記WLANを介して、前記UEと前記アプリケーションサーバとの間でファイルを交換することを決定するためのプログラムコードと、
前記WLANを介して、前記WLANの前記WLANファイアウォールおよび前記WWANの前記WWANファイアウォールの外に配置されるファイルサーバに前記ファイルを転送するためのプログラムコードと、
前記WWANを介して、前記UEまたは前記アプリケーションサーバに、前記ファイルサーバに前記転送されたファイルへのリンクを送るためのプログラムコードと
を備える、非一時的コンピュータ可読記憶媒体。
【請求項５６】
前記通信デバイスが前記UEに対応する、請求項55に記載の非一時的コンピュータ可読記憶媒体。
【請求項５７】
前記通信デバイスが前記アプリケーションサーバに対応する、請求項55に記載の非一時的コンピュータ可読記憶媒体。
【請求項５８】
その上に記憶された命令を含む非一時的コンピュータ可読記憶媒体であって、前記命令が、ワイヤレス通信ネットワークにおいてユーザ機器(UE)とアプリケーションサーバとの間でデータを交換するように構成される通信デバイスによって実行されると、前記通信デバイスに操作を実行させ、前記UEが、ワイヤレスローカルエリアネットワーク(WLAN)とワイヤレスワイドエリアネットワーク(WWAN)の両方に接続するように構成され、前記アプリケーションサーバが、前記WWAN内のWWANファイアウォールの背後に配置され、前記WLANが、前記UEおよび前記アプリケーションサーバが前記WLANを介した永続的なデータ接続を持たないように、WLANネットワークアドレス変換(NAT)構成要素およびファイアウォールを含み、前記命令が、
WWAN通信セッションの間に、前記WWANを介して、前記UEと前記アプリケーションサーバとの間でデータを交換するためのプログラムコードと、
前記WWANを介してファイルサーバのアップロードされたファイルへのリンクを受信するためのプログラムコードと、
前記ファイルサーバから前記アップロードされたファイルを取り出すためのプログラムコードと
を備え、
前記ファイルサーバが、前記WLANの前記WLANファイアウォール、および前記WWANの前記WWANファイアウォールの外に配置される、
非一時的コンピュータ可読記憶媒体。
【請求項５９】
前記通信デバイスが前記UEに対応する、請求項58に記載の非一時的コンピュータ可読記憶媒体。
【請求項６０】
前記通信デバイスが前記アプリケーションサーバに対応する、請求項58に記載の非一時的コンピュータ可読記憶媒体。
【発明の詳細な説明】
【技術分野】
【０００１】
実施形態はユーザ機器(UE)とアプリケーションサーバとの間のデータの交換に関する。
【背景技術】
【０００２】
ワイヤレス通信システムは、第1世代アナログワイヤレス電話サービス(1G)、第2世代(2G)デジタルワイヤレス電話サービス(暫定の2.5Gおよび2.75Gネットワークを含む)、ならびに第3世代(3G)高速データ/インターネット対応ワイヤレスサービスを含む、様々な世代を通じて発展してきた。現在、セルラーシステムおよびパーソナル通信サービス(PCS)システムを含む、多くの様々なタイプのワイヤレス通信システムが使用されている。知られているセルラーシステムの例には、セルラーAnalog Advanced Mobile Phone System(AMPS)、および、符号分割多元接続(CDMA)、周波数分割多元接続(FDMA)、時分割多元接続(TDMA)、TDMAのGlobal System for Mobile接続(GSM)変形に基づくデジタルセルラーシステム、および、TDMA技術とCDMA技術の両方を使用するより新しいハイブリッドデジタル通信システムがある。
【０００３】
CDMAモバイル通信を提供するための方法は、本明細書ではIS-95と呼ぶ、「Mobile Station-Base Station Compatibility Standard for Dual-Mode Wideband Spread Spectrum Cellular System」と題するTIA/EIA/IS-95-Aにおいて、米国電気通信工業会/米国電子工業会によって米国で規格化された。複合AMPS&CDMAシステムは、TIA/EIA規格IS-98に記載されている。他の通信システムは、広帯域CDMA(W-CDMA)、CDMA2000(たとえばCDMA2000 1xEV-DO標準など)またはTD-SCDMAと呼ばれるものを対象とする、IMT-2000/UM、すなわちInternational Mobile Telecommunications System 2000/Universal Mobile Telecommunications System規格に記載されている。
【０００４】
W-CDMAワイヤレス通信システムにおいて、ユーザ機器(UE)は、基地局に隣接するか、または基地局を囲む特定の地理的領域内の通信リンクまたはサービスをサポートする固定位置のノードB(セルサイトまたはセルとも呼ばれる)から信号を受信する。ノードBは、一般にサービス品質(QoS)要求に基づいてトラフィックを区別するための方法をサポートする標準Internet Engineering Task Force(IETF)ベースのプロトコルを使用したパケットデータネットワークであるアクセスネットワーク(AN)/無線アクセスネットワーク(RAN)にエントリポイントを提供する。したがって、ノードBは、一般に、エアインターフェースを介してUEと、またインターネットプロトコル(IP)ネットワークデータパケットを介してRANと対話する。
【０００５】
ワイヤレス電気通信システムでは、プッシュツートーク(PTT)機能がサービスセクタおよび消費者に普及している。PTTは、たとえばW-CDMA、CDMA、FDMA、TDMA、GSM（登録商標）など、標準的な商用のワイヤレスインフラストラクチャ上で動作する「ディスパッチ」ボイスサービスをサポートすることができる。ディスパッチモデルでは、エンドポイント(たとえば、UE)間の通信が仮想グループ内で行われ、そこでは1人の「送話者(talker)」のボイスが1人または複数の「受話者(listener)」に送信される。このタイプの通信の単一のインスタンスは、通常、ディスパッチ呼(dispatch call)、または単にPTT呼と呼ばれる。PTT呼は、呼の特徴を定義するグループのインスタンス化である。グループは、本質的に、メンバーリスト、およびたとえばグループ名またはグループ識別情報などの関連する情報によって定義される。
【発明の概要】
【課題を解決するための手段】
【０００６】
ユーザ機器(UE)およびアプリケーションサーバは、ワイヤレス通信ネットワークにおいてデータを交換する。UEは、ワイヤレスローカルエリアネットワーク(WLAN)とワイヤレスワイドエリアネットワーク(WWAN)の両方に接続するように構成される。アプリケーションサーバは、WWAN内のWWANファイアウォールの背後に配置される。WLANは、UEおよびアプリケーションサーバがWLANを介した永続的なデータ接続を持たないように、WLANネットワークアドレス変換(NAT)構成要素およびファイアウォールを含む。一実施形態では、アプリケーションサーバは、WLANを介してUEからアップロードできるようにするために、WWANファイアウォールを開くことができる。別の実施形態では、UEは、WLANを介してアプリケーションサーバからダウンロードできるようにするために、WLANファイアウォールおよび/またはNATを開くことができる。別の実施形態では、アプリケーションサーバまたはUEは、WLANおよびWWANファイアウォール外のサーバにファイルをアップロードし、取出しのためにアップロードされたファイルへのリンクを送ることができる。
【０００７】
本発明の実施形態およびその付随する利点の多くのより完全な理解は、以下の詳細な説明を参照し、本発明を限定するためではなく単に例示するために提示する添付の図面とともに考察することによってよりよく理解されれば、容易に得られるであろう。
【図面の簡単な説明】
【０００８】
【図１】本発明の少なくとも1つの実施形態による、ユーザ機器および無線アクセスネットワークをサポートするワイヤレスネットワークアーキテクチャを示す図である。
【図２Ａ】本発明の一実施形態による図1のコアネットワークを示す図である。
【図２Ｂ】図1のワイヤレス通信システムの一例をより詳細に示す図である。
【図３】本発明の少なくとも1つの実施形態によるユーザ機器(UE)を示す図である。
【図４】本発明の別の実施形態による、図1のワイヤレス通信システムを示す図である。
【図５Ａ】本発明の一実施形態による、図4のワイヤレス通信システム内でUEからアプリケーションサーバにデータを送るプロセスを示す図である。
【図５Ｂ】本発明の別の実施形態による、図4のワイヤレス通信システム内でアプリケーションサーバからUEにデータを送るプロセスを示す図である。
【図６Ａ】本発明の別の実施形態による、図4のワイヤレス通信システム内でUEからアプリケーションサーバにデータを送るプロセスを示す図である。
【図６Ｂ】本発明の別の実施形態による、図4のワイヤレス通信システム内でUEからアプリケーションサーバにデータを送るプロセスを示す図である。
【図７】本発明の別の実施形態による、図4のワイヤレス通信システム内でアプリケーションサーバからUEにデータを送るプロセスを示す図である。
【発明を実施するための形態】
【０００９】
本発明の特定の実施形態を対象とする以下の説明および関連する図面で、本発明の態様を開示する。本発明の範囲から逸脱することなく代替的な実施形態を考案することができる。さらに、本発明の関連する詳細を不明瞭にしないように、本発明のよく知られている要素については詳細に説明しないか、または省略する。
【００１０】
「例示的」および/または「例」という用語は、本明細書では「例、事例、または例示として機能すること」を意味するために使用される。本明細書で「例示的」および/または「例」として説明するいかなる実施形態も、必ずしも他の実施形態よりも好ましいまたは有利であると解釈されるべきではない。同様に、「本発明の実施形態」という用語は、本発明のすべての実施形態が、論じられた特徴、利点または動作モードを含むことを必要としない。
【００１１】
さらに、多くの実施形態が、たとえば、コンピューティングデバイスの要素によって実行すべき一連のアクションに関して説明される。本明細書で説明する様々なアクションは、特定の回路(たとえば、特定用途向け集積回路(ASIC))によって、1つもしくは複数のプロセッサによって実行されるプログラム命令によって、または両方の組合せによって実行できることが認識されよう。さらに、本明細書で説明するこれらの一連のアクションは、実行時に、関連するプロセッサに本明細書で説明する機能を実行させるコンピュータ命令の対応するセットを記憶した、任意の形式のコンピュータ可読記憶媒体内で全体として具現化されるものと見なすことができる。したがって、本発明の様々な態様は、すべてが特許請求する主題の範囲内に入ることが企図されているいくつかの異なる形式で具現化され得る。さらに、本明細書に記載される実施形態ごとに、任意のそのような実施形態に対応する形式が、たとえば、記載されたアクションを実行する「ように構成された論理部」として本明細書に記載される場合がある。
【００１２】
本明細書ではユーザ機器(UE)と呼ばれる高データレート(HDR)加入者局は、モバイルでも固定でもよく、ノードBと呼ばれ得る1つまたは複数のアクセスポイント(AP)と通信することができる。UEは、ノードBのうちの1つまたは複数を介して、無線ネットワークコントローラ(RNC)との間でデータパケットを送受信する。ノードBおよびRNCは、無線アクセスネットワーク(RAN)と呼ばれるネットワークの部分である。無線アクセスネットワークは、複数のUE間に音声およびデータパケットをトランスポートすることができる。
【００１３】
無線アクセスネットワークは、無線アクセスネットワークの外部の追加のネットワークにさらに接続されていてもよく、そのようなコアネットワークは、特定のキャリア関連のサーバおよびデバイス、ならびに企業内イントラネット、インターネット、公衆交換電話網(PSTN)、サービング汎用パケット無線サービス(GPRS)サポートノード(SGSN)、ゲートウェイGPRSサポートノード(GGSN)など他のネットワークへの接続を含んでおり、各UEとそのようなネットワークとの間で音声パケットおよびデータパケットをトランスポートすることができる。1つまたは複数のノードBとのアクティブなトラフィックチャネル接続を確立したUEは、アクティブなUEと呼ぶことができ、トラフィック状態であると呼ぶことができる。1つまたは複数のノードBとのアクティブなトラフィックチャネル(TCH)接続を確立する過程にあるUEは、接続セットアップ状態であると呼ぶことができる。UEは、ワイヤレスチャネルまたは有線のチャネルを介して通信する任意のデータデバイスとすることができる。UEは、さらに、限定はしないが、PCカード、コンパクトフラッシュ（登録商標）デバイス、外付けまたは内蔵のモデム、あるいはワイヤレスまたは有線の電話を含むいくつかのタイプのデバイスのうちの任意のものでもよい。UEが信号をノードBに送る通信リンクは、アップリンクチャネル(たとえば、逆方向トラフィックチャネル、制御チャネル、アクセスチャネルなど)と呼ばれる。ノードBが信号をUEに送る通信リンクは、ダウンリンクチャネル(たとえば、ページングチャネル、制御チャネル、ブロードキャストチャネル、順方向トラフィックチャネルなど)と呼ばれる。本明細書で使用する場合、トラフィックチャネル(TCH)という用語は、アップリンク/逆方向トラフィックチャネル、またはダウンリンク/順方向トラフィックチャネルのいずれかを指し得る。
【００１４】
図1は、本発明の少なくとも1つの実施形態によるワイヤレス通信システム100の例示的な一実施形態のブロック図を示す。システム100は、パケット交換データネットワーク(たとえばイントラネット、インターネット、および/またはコアネットワーク126)とUE102、108、110、112との間にデータ接続を提供するネットワーク機器にアクセス端末102を接続することができるアクセスネットワークまたは無線アクセスネットワーク(RAN)120と、エアインターフェース104を介して通信しているセルラー電話102などのUEを含むことができる。本明細書に示すように、UEは、セルラー電話102、携帯情報端末108、本明細書では双方向テキストページャとして示すページャ110、さらにはワイヤレス通信ポータルを有する個別のコンピュータプラットフォーム112とすることができる。したがって、本発明の実施形態は、それだけには限定されないが、ワイヤレスモデム、PCMCIAカード、パーソナルコンピュータ、電話、またはそれらの任意の組合せまたは部分的組合せを含めて、ワイヤレス通信ポータルを含む、またはワイヤレス通信機能を有する任意の形態のアクセス端末において実現することができる。さらに、本明細書で使用するように、他の通信プロトコル(すなわちW-CDMA以外)における「UE」という用語は、互換的に「アクセス端末」、「AT」、「ワイヤレスデバイス」、「クライアントデバイス」、「モバイル端末」、「移動局」、およびそれらの変形と呼ばれ得る。
【００１５】
再び図1を参照すると、ワイヤレス通信システム100の構成要素、および本発明の例示的な実施形態の要素の相互関係は、図示の構成に限定されない。システム100は、例にすぎず、ワイヤレスクライアントコンピューティングデバイス102、108、110、112などのリモートUEが、無線で互いの間で、および/またはそれだけには限定されないが、コアネットワーク126、インターネット、PSTN、SGSN、GGSN、および/または他のリモートサーバを含めて、エアインターフェース104およびRAN120を介して接続される構成要素の間で通信することができる任意のシステムを含むことができる。
【００１６】
RAN120は、RNC122に送られる(一般的にデータパケットとして送られる)メッセージを制御する。RNC122は、サービング汎用パケット無線サービス(GPRS)サポートノード(SGSN)とUE102/108/110/112との間のベアラチャネル(すなわち、データチャネル)のシグナリング、確立、およびティアダウンを行う役目を果たす。また、リンクレイヤ暗号化が可能な場合、RNC122は、エアインターフェース104を介してコンテンツを転送する前に、コンテンツを暗号化する。RNC122の機能は、当技術分野でよく知られており、簡潔のためにこれ以上は説明しない。コアネットワーク126は、ネットワーク、インターネット、および/または公衆交換電話網(PSTN)によってRNC122と通信することができる。代わりに、RNC122は、インターネットまたは外部ネットワークに直接接続することができる。一般的に、コアネットワーク126とRNC122との間のネットワークまたはインターネット接続は、データを転送し、PSTNは、ボイス情報を転送する。RNC122は複数のノードB124に接続することができる。コアネットワーク126と同様の方法で、RNC122は、一般的に、データ転送および/またはボイス情報のために、ネットワーク、インターネット、および/またはPSTNによってノードB124に接続される。ノードB124は、データメッセージを、たとえばセルラー電話102などのUEにワイヤレスでブロードキャストすることができる。当技術分野で知られているように、ノードB124、RNC122、および他の構成要素は、RAN120を形成することができる。しかし、代替構成が使用されてもよく、本発明は、図示の構成に限定されない。たとえば、別の実施形態では、RNC122、およびノードB124のうちの1つまたは複数の機能は、RNC122とノードB124の両方の機能を有する単一の「ハイブリッド」モジュールに縮小することができる。
【００１７】
図2Aは、本発明の一実施形態によるコアネットワーク126を示す。特に、図2Aは、W-CDMAシステム内に実装される汎用パケット無線サービス(GPRS)コアネットワークの構成要素を示す。図2Aの実施形態では、コアネットワーク126は、サービングGPRSサポートノード(SGSN)160、ゲートウェイGPRSサポートノード(GGSN)165、およびインターネット175を含む。しかし、代替実施形態では、インターネット175および/または他の構成要素の部分がコアネットワークの外部に配置されていてもよいことを諒解されたい。
【００１８】
一般に、GPRSは、インターネットプロトコル(IP)パケットを送信するために、Global System for Mobile communications(GSM)電話によって使用されるプロトコルである。GPRSコアネットワーク(たとえば、GGSN165および1つまたは複数のSGSN160)は、GPRSシステムの中央部であり、W-CDMAベースの3Gネットワークのサポートも提供する。GPRSコアネットワークは、GSMコアネットワークの一体部であり、GSM（登録商標）およびW-CDMAネットワークにおけるIPパケットサービスのモビリティ管理、セッション管理、およびトランスポートを提供する。
【００１９】
GPRSトンネリングプロトコル(GTP)は、GPRSコアネットワークの限定的なIPプロトコルである。GTPは、GSM（登録商標）またはW-CDMAネットワークのエンドユーザ(たとえば、アクセス端末)が、GGSN165において、まるで1つの位置からインターネットに接続し続けながら、あちこちに移動することができるプロトコルである。これは、加入者の現在のSGSN160から、加入者のセッションを処理しているGGSN165に加入者のデータを転送することによって達成される。
【００２０】
GTPの3つの形態、すなわち(i)GTP-U、(ii)GTP-C、および(iii)GTP'(GTP Prime)がGPRSコアネットワークによって使用される。GTP-Uは、パケットデータプロトコル(PDP)コンテキストごとに分離されたトンネルでのユーザデータの転送に使用される。GTP-Cは、制御シグナリング(たとえば、PDPコンテキストのセットアップおよび削除、GSN到達可能性の検証、加入者があるSGSNから別のSGSNに移動したときなどの更新または変更)に使用される。GTP'は、GSNから課金機能への課金データの転送のために使用される。
【００２１】
図2Aを参照すると、GGSN165は、GPRSバックボーンネットワーク(図示せず)と外部パケットデータネットワーク175との間のインターフェースとして働く。GGSN165は、関連するパケットデータプロトコル(PDP)形式(たとえば、IPまたはPPP)のパケットデータを、SGSN160から来るGPRSパケットから抽出し、対応するパケットデータネットワーク上でパケットを送る。他方の方向では、入来データパケットは、GGSN165によってSGSN160に向けられ、SGSN160は、RAN120によってサービスされる宛先のUEの無線アクセスベアラ(RAB)を管理し、制御する。それによって、GGSN165は、ターゲットUEの現在のSGSNアドレス、およびそのユーザのプロファイルをそのロケーションレジスタ(たとえば、PDPコンテキスト内)に記憶する。GGSNは、IPアドレス割当ての役目を果たし、接続されたUEのデフォルトルータである。また、GGSNは、認証および課金機能を実行する。
【００２２】
一例では、SGSN160は、コアネットワーク126内の多くのSGSNのうちの1つの代表である。各SGSNは、関連する地理的サービスエリア内で、UEとの間でデータパケットを配信する役目を果たす。SGSN160のタスクには、パケットルーティングおよび転送、モビリティ管理(たとえば、接続/切断およびロケーション管理)、論理リンク管理、および認証および課金機能などがある。SGSNのロケーションレジスタは、位置情報(たとえば、現在のセル、現在のVLR)、および、SGSN160に登録されたすべてのGPRSユーザのユーザプロファイル(たとえば、パケットデータネットワークで使用するIMSI、PDPアドレス)を、たとえばユーザまたはUEごとに1つまたは複数のPDPコンテキスト内に記憶する。したがって、SGSNは、(i)GGSN165からのダウンリンクGTPパケットの逆トンネリング、(ii)GGSN165方向のIPパケットのアップリンクトンネル、(iii)UEがSGSNサービスエリアの間を移動するときのモビリティ管理の実行、(iv)モバイル加入者の支払い請求の役目を果たす。当業者なら諒解するように、(i)〜(iv)の他に、GSM/EDGEネットワークのために構成されたSGSNは、W-CDMAネットワークのために構成されたSGSNと比較して、わずかに異なる機能を有する。
【００２３】
RAN120(またはユニバーサルモバイル通信システム(UMTS)システムアーキテクチャにおけるUTRANなど)は、フレームリレーまたはIPなどの送信プロトコルによって、Iuインターフェースを介してSGSN160と通信する。SGSN160は、SGSN160および他のSGSN(図示せず)と内部のGGSNとの間のIPベースのインターフェースであり、上記で定義されたGTPプロトコル(たとえば、GTP-U、GTP-C、GTP'など)を使用するGnインターフェースを介してGGSN165と通信する。図2Aには示されていないが、Gnインターフェースは、ドメインネームシステム(DNS)によっても使用される。GGSN165は、公衆データネットワーク(PDN)(図示せず)に、次にインターネット175に、IPプロトコルによるGiインターフェースを介して直接、またはワイヤレスアプリケーションプロトコル(WAP)ゲートウェイを介して接続される。
【００２４】
PDPコンテキストは、UEがアクティブなGPRSセッションを有するとき、特定のUEの通信セッション情報を含む、SGSN160とGGSN165の両方に存在するデータ構造である。UEは、GPRS通信セッションを開始することを望むとき、まず、SGSN160に接続し、次いでGGSN165によりPDPコンテキストを起動させなければならない。これによって、加入者が現在訪問しているSGSN160、およびUEのアクセスポイントにサービスしているGGSN165において、PDPコンテキストデータ構造が割り振られる。
【００２５】
図2Bは、図1のワイヤレス通信システム100の一例をより詳細に示す。特に、図2Bを参照すると、UE1…Nは、異なるパケットデータネットワークエンドポイントによってサービスされる位置でRAN120に接続するものとして示されている。図2Bの例は、W-CDMAシステムおよび用語に固有のものであるが、1xEV-DOシステムに適合するために図2Bをどのように変更することができるかが諒解されよう。したがって、UE1およびUE3は、第1のパケットデータネットワークエンドポイント162(たとえば、SGSN、GGSN、PDSN、ホームエージェント(HA)、外部エージェント(FA)などに対応し得る)によってサービスされる部分でRAN120に接続する。第1のパケットデータネットワークエンドポイント162は、次に、ルーティングユニット188を介して、インターネット175、ならびに/または認証、認可およびアカウンティング(AAA)サーバ182、プロビジョニングサーバ184、インターネットプロトコル(IP)マルチメディアサブシステム(IMS)/セッション開始プロトコル(SIP)登録サーバ186、および/もしくはアプリケーションサーバ170のうちの1つもしくは複数に接続する。UE2およびUE5…Nは、第2のパケットデータネットワークエンドポイント164(たとえば、SGSN、GGSN、PDSN、FA、HAなどに対応し得る)によってサービスされる部分でRAN120に接続する。第1のパケットデータネットワークエンドポイント162と同様に、第2のパケットデータネットワークエンドポイント164は、次に、ルーティングユニット188を介して、インターネット175、ならびに/またはAAAサーバ182、プロビジョニングサーバ184、IMS/SIP登録サーバ186、および/もしくはアプリケーションサーバ170のうちの1つもしくは複数に接続する。UE4は、直接インターネット175に接続し、次いでインターネット175を介して、上記のシステム構成要素のうちのいずれかに接続することができる。
【００２６】
図2Bを参照すると、UE1、UE3、およびUE5…Nは、ワイヤレス携帯電話として示され、UE2は、ワイヤレスタブレット型PCとして示され、UE4は、有線のデスクトップステーションとして示されている。しかし、他の実施形態では、ワイヤレス通信システム100が任意のタイプのUEに接続することができ、図2Bに示される例は、システム内に実装され得るUEのタイプを制限するものではないことが諒解されよう。また、AAA182、プロビジョニングサーバ184、IMS/SIP登録サーバ186、およびアプリケーションサーバ170はそれぞれ、構造的に別のサーバとして示されているが、本発明の少なくとも1つの実施形態において、これらのサーバのうちの1つまたは複数は、統合されていてもよい。
【００２７】
さらに、図2Bを参照すると、アプリケーションサーバ170は、複数のメディア制御コンプレックス(MCC)1…N 170Bおよび複数の地域ディスパッチャ1…N 170Aを含むものとして示されている。集合的に、地域ディスパッチャ170AおよびMCC170Bは、少なくとも1つの実施形態では、ワイヤレス通信システム100内の通信セッション(たとえば、IPユニキャストプロトコルおよび/またはIPマルチキャストプロトコルを介した半二重グループ通信セッション)を調停するように集合的に機能するサーバの分散型ネットワークに対応し得る、アプリケーションサーバ170内に含まれる。たとえば、アプリケーションサーバ170によって調停される通信セッションは、理論上、システム100内のどこかに位置するUE間で行われ得るので、調停された通信セッションの待ち時間を減らすために(たとえば、北米のMCCが中国に位置するセッション参加者間で媒体をあちこち中継しないように)、複数の地域ディスパッチャ170AおよびMCCが分散される。したがって、アプリケーションサーバ170を参照すると、関連する機能は、地域ディスパッチャ170Aのうちの1つもしくは複数、および/またはMCC170Bのうちの1つもしくは複数によって実施することができることを諒解されよう。地域ディスパッチャ170Aは、全般的に、通信セッションを確立することに関連する任意の機能(たとえば、UE間のシグナリングメッセージの処理、告知メッセージのスケジューリングおよび/または送信など)を受け持ち、MCC170Bは、通話中シグナリング、調停された通信セッション中の媒体の実際の交換を行うことを含めて、呼インスタンスの間の通信セッションをホストする役目を果たす。
【００２８】
図3を参照すると、たとえばセルラー電話などのUE200(ここではワイヤレスデバイス)は、プラットフォーム202を有し、プラットフォーム202は、RAN120から送信され、最終的にはコアネットワーク126、インターネット、および/または他のリモートサーバおよびネットワークから来る可能性がある、ソフトウェアアプリケーション、データ、および/またはコマンドを受信し、実行することができる。プラットフォーム202は、特定用途向け集積回路(「ASIC」208)または他のプロセッサ、マイクロプロセッサ、論理回路、または他のデータ処理デバイスに動作可能に結合されたトランシーバ206を含むことができる。ASIC208または他のプロセッサは、ワイヤレスデバイスのメモリ212中の任意の常駐プログラムとインターフェースするアプリケーションプログラミングインターフェース(API)210レイヤを実行する。メモリ212は、読取り専用メモリまたはランダムアクセスメモリ(RAMおよびROM)、EEPROM、フラッシュカード、またはコンピュータプラットフォームに共通の任意のメモリから構成され得る。プラットフォーム202は、メモリ212中でアクティブに使用されないアプリケーションを保持することができるローカルデータベース214も含み得る。ローカルデータベース214は、一般にフラッシュメモリセルであるが、磁気媒体、EEPROM、光学媒体、テープ、ソフトまたはハードディスクなど、当技術分野で知られている任意の二次記憶デバイスであってもよい。内部プラットフォーム202の構成要素はまた、当技術分野で知られていているように、構成要素の中でもとりわけ、アンテナ222、ディスプレイ224、プッシュツートークボタン228およびキーパッド226のような外部デバイスに動作可能に結合され得る。
【００２９】
したがって、本発明の一実施形態は、本明細書で説明した機能を実行する能力を含むUEを含むことができる。当業者ならば諒解するように、様々な論理要素は、本明細書で開示する機能を達成するために、個別の要素、プロセッサ上で実行されるソフトウェアモジュール、またはソフトウェアとハードウェアとの任意の組合せで実施できる。たとえば、ASIC208、メモリ212、API210およびローカルデータベース214をすべて協働的に使用して、本明細書で開示する様々な機能をロード、記憶および実行することができ、したがってこれらの機能を実行する論理部を様々な要素に分散することができる。代替的に、機能を1つの個別構成要素に組み込むことができる。したがって、図3のUE200の特徴は、単に例示にすぎないものと見なされ、本発明は、示された特徴または構成に限定されない。
【００３０】
UE102またはUE200とRAN120との間のワイヤレス通信は、たとえば符号分割多元接続(CDMA)、W-CDMA、時分割多元接続(TDMA)、周波数分割多元接続(FDMA)、直交周波数分割多元(OFDM)、Global System for Mobile Communications(GSM)、またはワイヤレス通信ネットワークもしくはデータ通信ネットワークで使用され得る他のプロトコルなど、異なる技術に基づき得る。たとえば、W-CDMAでは、データ通信は、一般的に、クライアントデバイス102とノードB124とRNC122との間で行われる。RNC122は、コアネットワーク126、PSTN、インターネット、仮想専用ネットワーク、SGSN、GGSNなど複数のデータネットワークに接続することができ、したがって、UE102またはUE200は、より広い通信ネットワークにアクセスすることができる。上記で説明し、当技術分野で知られているように、ボイス送信、および/またはデータは、様々なネットワークおよび構成を使用してRANからUEに送信することができる。したがって、本明細書で提供する例は、本発明の実施形態を限定するためのものではなく、単に本発明の実施形態の態様の説明を助けるためのものにすぎない。
【００３１】
以下、本発明の実施形態は、全般的に、W-CDMAプロトコルおよび関連する用語に従って説明される(たとえば、移動局(MS)、モバイルユニット(MU)、アクセス端末(AT)などの代わりにUE、EV-DOでのBSCとは異なりRNC、EV-DOでのBSまたはMPT/BSとは異なりノードBなど)。しかしながら、W-CDMA以外のワイヤレス通信プロトコルとともに本発明の実施形態がどのように適用され得るかを、当業者は容易に諒解されよう。
【００３２】
従来のサーバ調停型通信セッション(たとえば、半二重プロトコル、全二重プロトコル、VoIP、グループセッションオーバーIPユニキャスト、グループセッションオーバーIPマルチキャスト、プッシュツートーク(PTT)セッション、プッシュツートランスファ(PTX)セッションなどを介する)では、セッションまたは呼発信者は、アプリケーションサーバ170に通信セッションを開始する旨の要求を送り、アプリケーションサーバ170は次いで、呼の1つまたは複数のターゲットに送信するために呼告知メッセージをRAN120に転送する。
【００３３】
ユーザ機器(UE)は、ユニバーサル移動通信サービス(UMTS)地上波無線アクセスネットワーク(UTRAN)(たとえば、RAN120)において、アイドルモードまたは無線リソース制御(RRC)接続モードのいずれかとすることができる。
【００３４】
UEモビリティおよびアクティビティに基づいて、RRC接続モードである間、RAN120は、いくつかのRRC下位状態、すなわちCELL_PCH、URA_PCH、CELL_FACH、およびCELL_DCH状態の間で移行するようUEに指示することができ、これらは次のように特徴づけることができる。
・CELL_DCH状態では、アップリンクおよびダウンリンクにおいて、UEには専用物理チャネルが割り振られ、UEは、その現在のアクティブセットによってセルレベルで認識され、UEには専用トランスポートチャネル、ダウンリンクおよびアップリンク(TDD)共有トランスポートチャネルが割り当てられており、これらのトランスポートチャネルの組合せをUEによって使用することができる。
・CELL_FACH状態では、UEには専用物理チャネルは割り振られず、UEは、順方向アクセスチャネル(FACH)を連続的に監視し、UEは、アップリンクにおけるデフォルトの共通または共有トランスポートチャネル(たとえば、チャネルを取得し、送信電力を調整するための電力ランプアップ手順による競合ベースのチャネルであるランダムアクセスチャネル(RACH))が割り当てられ、UEはそのトランスポートチャネルのアクセス手順に従って送信することができ、UEの位置は、UEが前のセル更新を最後に行ったセルによってセルレベルでRAN120によって認識され、TDDモードでは、1つまたは複数のUSCHまたはDSCHトランスポートチャネルが確立されている可能性がある。
・CELL_PCH状態では、UEには専用物理チャネルは割り振られず、UEは、アルゴリズムでPCHを選択し、関連するPICHを介して選択されたPCHを、DRXを使用して監視し、アップリンクアクティビティは不可であり、UEの位置は、UEがCELL_FACH状態でセル更新を最後に行ったセルによってセルレベルでRAN120によって認識される。
・URA_PCH状態では、UEには専用チャネルは割り振られず、UEは、アルゴリズムでPCHを選択し、関連するPICHを介して選択されたPCHを、DRXを使用して監視し、アップリンクアクティビティは不可であり、UEの位置は、CELL_FACH状態で最後のURA更新中にUEに割り当てられたUTRAN登録エリア(URA)によって登録エリアレベルでRAN120に認識される。
【００３５】
したがって、URA_PCH状態(またはCELL_PCH状態)は、UEが定期的に起動して、ページングインジケータチャネル(PICH)、および必要な場合、関連するダウンリンクページングチャネル(PCH)をチェックする休止状態に対応し、セル再選択、定期的なセル更新、アップリンクデータ送信、ページング応答、再度入ったサービスエリアのイベントについては、UEは、CELL_FACH状態に入ってセル更新メッセージを送ることができる。CELL_FACH状態では、UEは、ランダムアクセスチャネル(RACH)上でメッセージを送り、順方向アクセスチャネル(FACH)を監視することができる。FACHは、RAN120からのダウンリンク通信を運び、セカンダリ共通制御物理チャネル(S-CCPCH)にマップされる。CELL_FACH状態から、UEは、CELL_FACH状態でのメッセージングに基づいてトラフィックチャネル(TCH)が得られた後、CELL_DCH状態になり得る。無線リソース制御(RRC)接続モードでの従来の専用トラフィックチャネル(DTCH)からトランスポートチャネルへのマッピングを示す表が、次の通り、Table 1(表1)に示される。
【００３６】
【表１】
0005743252.tif 000002
【００３７】
表記(rel. 8)および(rel. 7)は、関連する3GPPリリースを示し、監視またはアクセスのために、示されたチャネルが導入されている。
【００３８】
図4は、本発明の別の実施形態による、図1のワイヤレス通信システムを示す。図4に示すように、UE200は、RAN120内のノードB124を介してワイヤレスワイドエリアネットワーク(WWAN)400、およびWLANアクセスポイント(AP)425(たとえば、WiFiホットスポットまたはルータ)を介してワイヤレスローカルエリアネットワーク(WLAN)420に並行して接続するように構成される。サービスプロバイダネットワークに対応し得るWWAN400のネットワーク構成要素は、図1、図2A、および図2Bに関して上記で説明したように、RAN120、SGSN160、GGSN165、およびアプリケーションサーバ170を含む。図4では、WWAN400は、サービスプロバイダファイアウォールとも呼ばれ得るWWANファイアウォール405およびネットワークアドレス変換(NAT)構成要素408をさらに含む。NAT408およびWWANファイアウォール405は、図4には個別のエンティティまたは構成要素として示されているが、本発明の他の実施形態では、それらのそれぞれの機能は、(たとえば図2Bのルーティングユニット188など)単一のサーバまたはスイッチに統合され得ることを諒解されよう。NAT408の機能について、WLAN420内に配置されるNAT430に関して、以下でより詳細に説明する。
【００３９】
当業者なら諒解するように、ファイアウォールは、ハードウェア、ソフトウェア、またはその両方の組合せに実装することができる。ファイアウォールは、無許可のインターネットユーザがインターネット175に接続されるプライベートネットワーク、この場合は、サービスプロバイダネットワークまたはWWAN400にアクセスするのを防止するために、頻繁に使用される。WWANファイアウォール405は、1組のルールおよび他の基準に基づいて、ネットワーク送信を許可または拒否するように構成される。インターネット175を介してWWAN400に入る、またはWWAN400から出るすべてのメッセージはWWANファイアウォール405を通過し、ファイアウォールは各メッセージを検査し、指定されたセキュリティ基準を満たさないものをブロックする。
【００４０】
WWANファイアウォール405に穴を開けることによって、アプリケーションサーバ170は、インターネット175にアクセスすることができる。図4に示すように、インターネット175は、WLAN420とファイルサーバ410の両方に接続されており、ファイルサーバ410は、WWANファイアウォール405およびWLANファイアウォール435(以下でより詳細に説明する)の外に位置する。インターネット175を介して、WWAN400のアプリケーションサーバ170は、理論上、WLAN420に接続されているが、WLAN420がアクセスをブロックすることができるそれ自体のセキュリティ(たとえば、NAT/ファイアウォール)を有することを諒解されよう。
【００４１】
WLAN420を参照すると、WLAN420は、上述したWLAN AP425(たとえば、WiFiルータまたはホットスポットなど)を含み、ネットワークアドレス変換(NAT)構成要素430、および代わりにインターネットサービスプロバイダ(ISP)ファイアウォールとも呼ばれ得るWLANファイアウォール435をさらに含む。NAT430およびWLANファイアウォール435は、図4には個別のエンティティまたは構成要素として示されているが、本発明の他の実施形態では、それらのそれぞれの機能は、(たとえば図2Bのルーティングユニット188など)単一のサーバまたはスイッチに統合され得ることを諒解されよう。
【００４２】
図4を参照すると、NAT430およびWLANファイアウォール435は、WLAN420をインターネット175および/または他のコアネットワークもしくはWLANから切り離す。たとえば、NAT430は、WLAN420からの発信インターネットプロトコル(IP)パケットがIPパケットの発信者(たとえば、UE200)の代わりにNAT430から発せられるように見え、入来IPパケットは、NAT430で終了するように見えるように、データグラム(IP)パケットヘッダにおけるネットワークアドレス情報を修正するように構成され得る。NAT430は、アドレスおよび/またはポート番号を変換する様々な方式のいずれかに従って実装することができ、各タイプのNAT方式はアプリケーション通信プロトコルに様々に影響を及ぼす。たとえば、NATタイプは、フルコーン(full-cone)NAT(1対1のNATとしても知られる)、アドレス制限付きコーン(address-restricted cone)NAT、ポート制限付きコーン(port-restricted cone)NAT、および対称NATを含む。
【００４３】
WLANファイアウォール435に関して、WLANファイアウォール435は、ハードウェア、ソフトウェア、またはその両方の組合せに実装することができる。ファイアウォールは、無許可のインターネットユーザがインターネット175に接続されるイントラネットなどのプライベートネットワークにアクセスするのを防止するために、頻繁に使用される。WLANファイアウォール435は、1組のルールおよび他の基準に基づいて、ネットワーク送信を許可または拒否するように構成される。WLAN420に入る、またはWLAN420から出るすべてのメッセージはWLANファイアウォール435を通過し、ファイアウォールは各メッセージを検査し、指定されたセキュリティ基準を満たさないものをブロックする。さらに、WLANファイアウォール435は、WLANファイアウォール435の背後で保護されているホストに、RFC1918において定義されているプライベートアドレスを提供する。ひとたびWLANファイアウォール435を介してパススルー接続が開かれると、データセッションのNAT変換の関連付けは、NAT430によって、しばしばセッションのデータ非活動の数秒内に解放される。したがって、NAT430およびWLANファイアウォール435は、特定のイントラネット、この場合はWLAN420についてのファイアウォールおよびNAT機能を実行するハードウェアおよび/またはソフトウェアを集合的に参照するために使用される。
【００４４】
UEは、一般的には、WWAN400(たとえば、セルラー通信システムなど)と比較して、WLAN420(たとえば、WiFiホットスポットなど)を介して、より高い帯域幅を取得することができる。したがって、代わりにWLANを使用することができたとき、または、UEが大きいファイルの転送を開始する前にWLAN接続を待つことができたときに、WWANが大きいファイルの転送(アップロードまたはダウンロード)のために使用される場合、貴重なWWAN帯域幅が消費され得る。しかし、NAT430、WLANファイアウォール435、およびWWANファイアウォール405のセキュリティ設定のため、WLAN420を介して、UE200からWWAN400内のアプリケーションサーバ170にデータを送ることは困難であり得る。本発明の実施形態は、したがって、NAT430、WLANファイアウォール435、および/またはWWANファイアウォール405のセキュリティ設定のために、WLAN420とWWAN400との間の直接接続の確立が困難であるときでも、高帯域のWLAN接続を使用してUEとWWANベースのアプリケーションサーバ170との間でデータを交換することを対象とする。
【００４５】
図5Aは、本発明の一実施形態による、図4のワイヤレス通信システム内でUE200からアプリケーションサーバ170にデータを送るプロセスを示す。
【００４６】
図5Aを参照すると、UE200がRAN120との接続を確立し、WWAN400内のアプリケーションサーバ170に対して所与の通信サービス(たとえば、PTTなど)を登録し、UE200が500で確立されたWWAN接続を介して所与の通信サービスの通信セッションに関与すると仮定する。たとえば、500で、UE200とアプリケーションサーバ170との間で交換されるデータは、たとえば低帯域ストリーミングセッション(たとえば、ボイスデータ)、および/またはWWANベースのファイル転送のために使用される所与のサイズ閾値未満のファイルのファイル転送などの低帯域データに対応する。次に、UE200は、500でのWWANベースの通信セッションを続ける間、505で、WLAN420を介してアプリケーションサーバ170にファイルを送信すべきかどうかを決定する。UE200が、ファイルがWLAN420を介して送信される必要がないと決定した場合、プロセスは500に戻り、UE200は、確立されたWWANベースの通信セッション以内にファイルを送信する。そうではなく、UE200がWLAN420を介してファイルを送信することを決定した場合、UE200は、510で、WLAN420のWLAN AP425への接続を確立し、プライベートIPアドレスを取得する。一例では、UE200は、505の決定がなされるとき、WLAN420にすでに接続されている場合があり、その場合510のWLAN接続操作をスキップすることができる。
【００４７】
図5Aの残りは、NAT430、WLANファイアウォール435、およびWWANファイアウォール405がWLAN420を介してファイルをアプリケーションサーバ170に送る直接の試みへの障害として機能する可能性が高いことにUE200が気づいている、または少なくとも信じているという仮定の下で動作する。したがって、後述のNAT/ファイアウォールバイパス手順は、この仮定に基づく。
【００４８】
図5Aを参照すると、UE200が510でWLAN AP425を介してWLAN420に接続した後、UE200は、たとえばSession Traversal Utilities for NAT(STUN)などのプロトコルを使用して、ファイルサーバ410にそのパブリックIPアドレスを要求する。STUNは、RFC5389において定義されており、エンドポイントがそのプライベートIPアドレスおよびポートに対応するNATによって割り振られたIPアドレスおよびポートを決定するための手段を提供する。STUNは、何らかの拡張とともに、NATバインディングの作動などを保つため、および2つのエンドポイント間の接続検査を実行するために使用することもできる。UE200は、515で、そのパブリックIPアドレスを要求し、さらにそのIPアドレスおよびポートの関連付けを維持するために、プロトコル(たとえば、STUN)を実施するためにバイナリシグナリングプロトコルを使用する。次いで、ファイルサーバ410は、520で、パブリックIPアドレスをUE200に送る。諒解されるように、パブリックIPアドレスは、WLAN420へ/からデータを送るためにWLAN420の外部のエンティティによって使用されるIPアドレスに対応し、一方、プライベートIPアドレスは、WLAN420自体内のエンティティのために使用されるIPアドレスである。WLAN420のためのパブリックIPアドレスを取得することに加えて、UE200は、525で、追加のWLAN接続情報を決定するために、NAT430の挙動を監視する。たとえば、525で、UE200は、IPデータパケットのソースポートおよび/または宛先ポートを変えながら、ファイルサーバ410とIPデータパケットを交換することができる。このようにして、UE200は、WLAN420のパブリックIPアドレスおよびポート番号に対するWLAN420内のUE200の内部またはプライベートIPアドレスとポート番号との間の関係を決定することができる。たとえば、UE200は、NATの挙動をテストするために、その特定のプライベートIPについてファイルサーバ410のポートおよびパブリックIPを決定するために、2つ以上のフォローアップクエリをファイルサーバ410に送ることができる。クエリの各々において、UE200は、UDPヘッダにおけるソースポートを変更することができる。UEは、その要求と、ファイルサーバ410から受信された応答とを比較して、4タプル(たとえば、UE200のプライベートIPアドレス、UE200のポート番号、ファイルサーバ410のIPアドレス、およびファイルサーバ410のポート番号)を、NATによって割り当てられたUE200のパブリックIPアドレスおよびポート番号にマッピングするために、NATによって使用される関係を決定することができる。たとえば、525でのUE200の決定は、上述したように交換されるメッセージに基づいて、ポート番号が許容限度内である限り、NAT430が単に選択されたポートに定数(たとえば、10000など)を追加しているだけであることがわかることに対応し得る。
【００４９】
UE200がパブリックIPアドレスおよびポート番号(525)に対するUE200のプライベートIPアドレスとポート番号との間の対応に関連したパブリックIPアドレス(515および520)ならびにNAT挙動を決定した後、UE200は、530で、ファイルをアプリケーションサーバ170に送ろうとして、NAT430およびWLAN420のWLANファイアウォール435に穴を開けるために、この情報を使用する。530で、UE200がWLAN420の外、およびインターネット175にファイルをエクスポートすることに成功し、しかし、WWANファイアウォール405がファイル転送をブロックすると仮定する。したがって、UE200は、WLAN420を介してファイルをアプリケーションサーバ170に送信する試みが、535で、WWANファイアウォール405のために失敗したことを決定する。
【００５０】
したがって、UE200は、540で、そのWWAN接続を介して、アプリケーションサーバ170にそのWLAN接続情報を送信する。たとえば、540で、アプリケーションサーバ170に送られたWLAN接続情報は、WLANの速度もしくは帯域幅、WLANのレイテンシ、WLANのパケットドロップレート、および/またはWLAN420へのWLAN接続に関連付けられた他の性能情報を含むことができる。
【００５１】
アプリケーションサーバ170は、WLAN接続情報を受信し、次いで、545で、540からのUE200のメッセージにACKを送るように、WWAN400内のそれ自体のWWANファイアウォール405に穴を開ける。ACKがファイアウォールされたWWAN400内で生成されるので、ACKは、WWANファイアウォール405を通過し、次いで、550で、WLAN420を介してUE200に送られる。また、545で、WWANファイアウォール405に穴を開けるともに、アプリケーションサーバ170は、所与のWWANファイアウォールタイマーの満了まで、双方向トラフィックがUE200とアプリケーションサーバ170との間のWWANファイアウォール405を通過できるようにするために、WWANファイアウォール405を開く。したがって、UE200とアプリケーションサーバ170との間の双方向トラフィックを可能にするために、WWANファイアウォール405を開いた後、UE200に送り返されるACKは、WWANファイアウォール405を通ってアプリケーションサーバ170にデータを送る別の試みが成功することをUE200に通知するように機能する。
【００５２】
したがって、UE200は、555で、WLAN420を介してファイルをアプリケーションサーバ170に送る別の試みを行う。UE200とアプリケーションサーバ170との間で交換されているトラフィックに対して、WLANファイアウォール435とWWANファイアウォール405の両方が現在開いているので、555の試みは成功している。
【００５３】
図5Bは、本発明の別の実施形態による、図4のワイヤレス通信システム内でアプリケーションサーバ170からUE200にデータを送るプロセスを示す。図5Aは、UE200からアプリケーションサーバ170にファイルをアップロードするプロセスを示し、一方、図5Bは、アプリケーションサーバ170からUE200にファイルをダウンロードするプロセスを示すことを除いて、図5Bは、いくつかの点で図5Aと類似している。
【００５４】
したがって、図5Bを参照すると、図5Aの500と同様に、UE200がRAN120との接続を確立し、WWAN400内のアプリケーションサーバ170に対して所与の通信サービス(たとえば、PTTなど)を登録し、UE200が500Bで確立されたWWAN接続を介して所与の通信サービスの通信セッションに関与すると仮定する。次に、UE200は、500BでWWANベースの通信セッションを続ける間、アプリケーションサーバ170は、505Bで、WLAN420を介してUE200にファイルを送信すべきかどうかを決定する。アプリケーションサーバ170が、ファイルがWLAN420を介して送信される必要がないと決定した場合(たとえば、ファイルサイズが閾値を超えない場合)、プロセスは500Bに戻り、アプリケーションサーバ170は、確立されたWWANベースの通信セッション以内にファイルを送信する。そうではなく、アプリケーションサーバ170がWLAN420を介してファイルを送信することを決定した場合、アプリケーションサーバ170は、510Bで、比較的大きいファイルをUE200に送信しようとするアプリケーションサーバ170の意図を、WWANを介してUE200に通知する。
【００５５】
図5Bを参照すると、UE200は、アプリケーションサーバ170から通知を受信し、515Bで、WLAN420を介して、アプリケーションサーバ170からファイルをダウンロードしようと試みるべきかどうかを決定する。UE200が515BでWLAN420を介してファイルをダウンロードしようと試みないことを決定した場合、プロセスは500Bに戻り、ここで、ファイルは、WWAN400を介してダウンロードされるか、または単にまったくダウンロードされない。代わりに、515Bで、UE200がWLAN420を介してファイルをダウンロードしようと試みることを決定した場合、プロセスは520Bに進む。
【００５６】
図5Bでは、520B〜535Bは、それぞれ図5Aの510〜525に実質的に対応しており、したがって、簡単のためさらには説明しない。540Bで、アプリケーションサーバ170からのファイルがWLANファイアウォール435を通過できるようにするために、UE200は、WLAN NAT430およびファイアウォール435に穴を開ける。545Bで、UE200は、図5Aの540のように、アプリケーションサーバ170にWLAN接続情報を送信する。アプリケーションサーバ170は、UE200からWLAN接続情報を受信し、次いで、550Bで、WLAN420を介して、UE200にファイルを送信する、またはダウンロードする。
【００５７】
図6Aは、本発明の別の実施形態による、図4のワイヤレス通信システム内でUE200からアプリケーションサーバ170にデータを送るプロセスを示す。
【００５８】
図6Aを参照すると、UE200がRAN120との接続を確立し、WWAN400内のアプリケーションサーバ170に対して所与の通信サービス(たとえば、PTTなど)を登録し、UE200が600Aで確立されたWWAN接続を介して所与の通信サービスの通信セッションに関与すると仮定する。たとえば、500で、UE200とアプリケーションサーバ170との間で交換されるデータは、たとえば低帯域ストリーミングセッション(たとえば、ボイスデータ)、および/またはWWANベースのファイル転送のために使用される第1のサイズ閾値未満のファイルのファイル転送などの低帯域データに対応する。次に、UE200は、600AでのWWANベースの通信セッションを続ける間、605Aで、WLAN420を介してアプリケーションサーバ170にファイルを送信すべきかどうかを決定する。UE200が、ファイルがWLAN420を介して送信される必要がないと決定した場合、プロセスは600Aに戻り、UE200は、確立されたWWANベースの通信セッション以内にファイルを送信する。そうではなく、UE200がWLAN420を介してファイルを送信することを決定した場合、UE200は、610Aで、WLAN420のWLAN AP425への接続を確立する。一例では、UE200は、605Aの決定がなされるとき、WLAN420にすでに接続されている場合があり、その場合、610AのWLAN接続操作をスキップすることができる。
【００５９】
次に、UE200は、615Aで、WLAN420を介して、NAT430、WLANファイアウォール435、およびWWANファイアウォール405を通って、ファイルをアプリケーションサーバ170に送ろうと試み、615Aの送信の試みは、620Aで、少なくともWWANファイアウォール405のために、失敗に終わる。たとえば、一例では、615Aおよび620Aは、それぞれ図5Aの530および535に対応し得る。
【００６０】
従来、WWANファイアウォールによってアップロードがブロックされた後、UEは、単に何度もアップロードすべきファイルを再送信しようと試み、その結果、多数のファイル転送の失敗に終わり、バッテリー寿命を浪費する。本発明の一実施形態では、WLAN420を介してファイルをアプリケーションサーバ170に送信しようとする試みが、部分的に620AでWWANファイアウォール405のために失敗したことを決定した後、UE200は、同じようにファイルをアップロードしようとするその後の試みも失敗に終わると仮定する。したがって、失敗に終わるアップロードの試みを反復して試みる代わりに、UE200は、625Aで、アプリケーションサーバ170に送信されるファイルが第2のサイズ閾値を超えるかどうかを決定する。たとえば、第2のサイズ閾値は、第1のサイズ閾値よりも高いレベルに設定することができ、したがって、第1のサイズ閾値は、605AでのWLANベースのファイル転送(可能な場合)を試みるべきかどうかに関して決定を容易にするように機能し、第2のサイズ閾値は、WLAN420を介してファイルをアプリケーションサーバ170に送信しようとする初期の試みが失敗に終わる場合、ファイルをアプリケーションサーバ170に送信すべきかどうかに関する決定を容易にするように機能する。
【００６１】
図6Aの実施形態では、アプリケーションサーバ170に送信されるファイルが第2のサイズ閾値を超えないと仮定する。したがって、UE200は、600Aで上記で説明したように、WWAN400を介したUE200とアプリケーションサーバ170との間の通信セッション以内に、630Aでアプリケーションサーバ170にファイルを送信する。したがって、図6Aは、WLANベースのファイル転送が試みられ、しかし、不成功である場合、中間のファイルサイズ(すなわち、第2のサイズ閾値未満)を有するファイルは、依然として、既存のWWAN接続を介してアプリケーションサーバ170に送ることができる。
【００６２】
図6Bは、本発明の別の実施形態による、図4のワイヤレス通信システム内でUE200からアプリケーションサーバ170にデータを送るプロセスを示す。図6Bを参照すると、600B〜625Bは、それぞれ図6Aの600A〜625Aに実質的に対応しており、簡潔のためにさらに説明しない。625Bでは、図6Aの625Aとは異なり、アプリケーションサーバ170に送信されるファイルが第2のサイズ閾値を超えると仮定する。
【００６３】
したがって、UE200は、630Bで、ファイルサーバ410にファイルをアップロードするために、WLANファイアウォール435に穴を開ける。諒解されるように、ファイルサーバ410はWWANファイアウォール405の背後にはなく、したがって、630Bのアップロードまたはファイル転送は、WWANファイアウォール405によって影響を受けない、またはブロックされない。アップロードが完了すると、ファイルサーバ410は、635Bで、ファイル転送の完了を肯定応答する。
【００６４】
ファイルサーバ410にファイルをアップロードすることに関連して(たとえばアップロードが始まる前、アップロード中、アップロードが完了した後など)、UE200は、640Bで、WWAN400を介してアプリケーションサーバ170にファイルサーバ410上にアップロードされたファイルへのリンクを送信する。したがって、WWAN400を介してファイル全体をアップロードする代わりに、単にWLAN420を介してアップロードされたファイルへの比較的小さいリンクを提供することによって、WWAN400上の帯域幅は節約される。
【００６５】
アプリケーションサーバ170は、UE200からファイルサーバ410上のファイルへのリンクを受信し、645Bで、WWAN400のWWANファイアウォール405に穴を開けることによって、ファイルサーバ410にアップロードされたファイルを取り出す旨の要求を送信する。特に、645Bで、アプリケーションサーバ170は、少なくとも、ファイルサーバ410がアップロードされたファイルを転送するために、WWANファイアウォール405を一時的に開くことができる。ファイルサーバ410は、アプリケーションサーバ170からアップロードされたファイルの要求を受信し、次いで、650Bで、WWANファイアウォール405を通って、WWAN400で、アップロードされたファイルをアプリケーションサーバ170に提供する。
【００６６】
図7は、本発明の別の実施形態による、図4のワイヤレス通信システム内でアプリケーションサーバ170からUE200にデータを送るプロセスを示す。図6Bは、UE200からアプリケーションサーバ170にファイルをアップロードするプロセスを示し、一方、図7は、アプリケーションサーバ170からUE200にファイルをダウンロードするプロセスを示すことを除いて、図7は、いくつかの点で図6Bと類似している。
【００６７】
図7を参照すると、UE200がRAN120との接続を確立し、WWAN400内のアプリケーションサーバ170に対して所与の通信サービス(たとえば、PTTなど)を登録し、UE200が700で確立されたWWAN接続を介して所与の通信サービスの通信セッションに関与すると仮定する。たとえば、500で、UE200とアプリケーションサーバ170との間で交換されるデータは、たとえば低帯域ストリーミングセッション(たとえば、ボイスデータ)、および/またはWWANベースのファイル転送のために使用される第1のサイズ閾値未満のファイルのファイル転送などの低帯域データに対応する。次に、UE200は、700でWWANベースの通信セッションを続ける間、アプリケーションサーバ170は、705で、WLAN420を介してUE200にファイルを送信するべきかどうかを決定する。アプリケーションサーバ170が、ファイルがWLAN420を通じて送信される必要がないと決定した場合、プロセスは700に戻り、アプリケーションサーバ170は、確立されたWWANベースの通信セッション以内にファイルを送信する。そうではなく、アプリケーションサーバ170がWLAN420を介してファイルを送信すると決定した場合、アプリケーションサーバ170は、710で、ファイルをファイルサーバ410に転送するために、WWANファイアウォール405に穴を開ける。諒解されるように、ファイルサーバ410はWLANファイアウォール435の背後にはなく、したがって、710のアップロードまたはファイル転送は、WLANファイアウォール435によって影響を受けない、またはブロックされない。ファイル転送が完了すると、ファイルサーバ410は、715で、ファイル転送の完了を肯定応答する。
【００６８】
ファイルサーバ410にファイルを転送することに関連して(たとえば転送が始まる前、転送中、転送が完了した後など)、アプリケーションサーバ170は、720で、WWAN400を介してUE200にファイルサーバ410上にアップロードされたファイルへのリンクを送信する。したがって、WWAN400を介してファイル全体をダウンロードする代わりに、単にWWAN400を介してダウンロードされるファイルへの比較的小さいリンクを提供することによって、WWAN400上の帯域幅は節約される。
【００６９】
UE200は、アプリケーションサーバ170からファイルサーバ410上のファイルへのリンクを受信し、725で、WLAN420のWLAN AP425への接続を確立する。一例では、UE200は、720で、UE200でファイルサーバ410からダウンロードされるファイルへのリンクが受信されるとき、WLAN420にすでに接続されている場合があり、その場合、725のWLAN接続操作をスキップすることができる。ひとたびUE200がファイルサーバ410からダウンロードされるファイルへのリンクを受信し、UE200がWLAN接続を有すると、UE200は、730で、WLAN420のWLANファイアウォール435に穴を開けることによって、ファイルサーバ410からファイルをダウンロードする旨の要求を送る。特に、730で、UE200は、少なくともファイルサーバ410からのファイルのダウンロードのために、WLANファイアウォール435を一時的に開くことができる。ファイルサーバ410は、UE200にファイルをダウンロードする旨の要求を受信し、次いで、735で、WWANファイアウォール435を通って、WWAN400で、ファイルをUE200に提供する。
【００７０】
本発明の上記で説明した実施形態における参照は、全体的に、「呼」および「セッション」の用語を互換的に使用しているが、任意の呼および/またはセッションは、異なる当事者間の実際の呼を含むものとして、または技術的に「呼」と見なされない可能性があるデータトランスポートセッションの代わりとして解釈されるものとすることを理解されよう。また、上記実施形態は、全体的に、PTTセッションに関して説明されているが、他の実施形態は、たとえばプッシュツートランスファ(PTX)セッション、緊急VoIP呼など、任意のタイプの通信セッションを対象としてもよい。
【００７１】
情報および信号は、多種多様な技術および技法のいずれかを使用して表すことができることを当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７２】
さらに、本明細書で開示した実施形態に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本発明の範囲からの逸脱を生じるものと解釈すべきではない。
【００７３】
本明細書で開示した実施形態に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理部、個別ハードウェア構成要素、または、本明細書で説明する機能を実行するように設計されたそれらの任意の組合せで、実装または実行することができる。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【００７４】
本明細書で開示した実施形態と関連して説明した方法、シーケンス、および/またはアルゴリズムは、ハードウェアで、プロセッサによって実行されるソフトウェアモジュールで、またはその2つの組合せで直接実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の非一時的記憶媒体中に常駐し得る。例示的な非一時的記憶媒体は、プロセッサが非一時的記憶媒体から情報を読み取り、非一時的記憶媒体に情報を書き込むことができるように、プロセッサに結合される。代替として、非一時的記憶媒体はプロセッサと一体であり得る。プロセッサおよび非一時的記憶媒体はASIC中に常駐し得る。ASICはユーザ端末(たとえば、アクセス端末)中に常駐し得る。代替として、プロセッサおよび非一時的記憶媒体は、ユーザ端末中に個別構成要素として常駐し得る。
【００７５】
1つまたは複数の例示的な実施形態では、説明した機能は、ハードウェア、ソフトウェア、ファームウェア、またはそれらの任意の組合せで実装され得る。ソフトウェアで実装する場合、機能は、1つまたは複数の命令またはコードとして非一時的コンピュータ可読媒体上に記憶されるか、あるいは非一時的コンピュータ可読媒体を介して送信され得る。非一時的コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の非一時的媒体を含み得る。また、いかなる接続も非一時的コンピュータ可読媒体と適切に呼ばれる。たとえば、ソフトウェアが、同軸ケーブル、光ファイバケーブル、ツイストペア、デジタル加入者回線(「DSL」)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(CD)、レーザーディスク（登録商標）、光ディスク、デジタル多用途ディスク(DVD)、フロッピーディスク（登録商標）、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００７６】
上記の開示は本発明の例示的な実施形態を示すが、添付の特許請求の範囲によって規定される本発明の範囲から逸脱することなく、本明細書において様々な変更および修正を行えることに留意されたい。本明細書で説明した本発明の実施形態による方法クレームの機能、ステップおよび/またはアクションは、特定の順序で実行されなくてもよい。さらに、本発明の要素は、単数形で説明または請求されていることがあるが、単数形に限定することが明示的に述べられていない限り、複数形が企図される。
【符号の説明】
【００７７】
100  ワイヤレス通信システム
102  UE
104  エアインターフェース
108  UE
110  UE
112  UE
120  無線アクセスネットワーク(RAN)
122  RNC
124  ノードB
126  コアネットワーク
160  サービングGPRSサポートノード(SGSN)
162  第1のパケットデータネットワークエンドポイント
164  第2のパケットデータネットワークエンドポイント
165  ゲートウェイGPRSサポートノード(GGSN)
170  アプリケーションサーバ
170A  地域ディスパッチャ
170B  MCC
175  インターネット
182  認証、認可およびアカウンティング(AAA)サーバ
184  プロビジョニングサーバ
186  インターネットプロトコル(IP)マルチメディアサブシステム(IMS)/セッション開始プロトコル(SIP)登録サーバ
188  ルーティングユニット
200  UE
202  プラットフォーム
206  トランシーバ
208  ASIC
210  プリケーションプログラミングインターフェース(API)
212  メモリ
214  ローカルデータベース
222  アンテナ
224  ディスプレイ
226  キーパッド
228  プッシュツートークボタン
400  ワイヤレスワイドエリアネットワーク(WWAN)
405  WWANファイアウォール
408  ネットワークアドレス変換(NAT)構成要素
410  ファイルサーバ
420  ワイヤレスローカルエリアネットワーク(WLAN)
425  WLANアクセスポイント(AP)
430  ネットワークアドレス変換(NAT)構成要素
435  WLANファイアウォール
505  WLAN
【図１】
0005743252.tif 000003
【図２Ａ】
0005743252.tif 000004
【図２Ｂ】
0005743252.tif 000005
【図３】
0005743252.tif 000006
【図４】
0005743252.tif 000007
【図５Ａ】
0005743252.tif 000008
【図５Ｂ】
0005743252.tif 000009
【図６Ａ】
0005743252.tif 000010
【図６Ｂ】
0005743252.tif 000011
【図７】
0005743252.tif 000012